(57)【要約】【課題】塗布具のクリップに景品や付録を簡単に取り付けることができ、外れにくく、耐久性の高いホルダを提供すること。【解決手段】小物を収容するパッケージ３と、パッケージ３と一体のホルダ本体２とから成り、塗布具に取り付けられるホルダであって、前記ホルダ本体２は係合部８を有しており、前記ホルダ本体２の係合部８は、クリップを係合させる導入路９を備えており、前記導入路９は、クリップの付け根部よりも幅が狭い導入部１０と、クリップの付け根部よりも幅の広い拡幅部１１とを備えており、前記導入部１０は、クリップの付け根部を通過可能に変形する。【選択図】図１
2011020314.tif 000002
【特許請求の範囲】
【請求項１】
小物を収容するパッケージと、前記パッケージと一体のホルダ本体とから成り、塗布具に取り付けられるホルダであって、
塗布具は、塗布具本体及び塗布具本体と一体のクリップを有し、前記クリップは、塗布具本体の長手方向に沿う棒状部と、棒状部の端部を塗布具本体に接続する付け根部とを備えるものであり、
前記ホルダ本体は係合部を有しており、前記ホルダ本体の係合部は、クリップを係合させる導入路を備えており、
前記導入路は、クリップの付け根部よりも幅が狭い導入部と、クリップの付け根部よりも幅の広い拡幅部とを備えており、前記導入部は、クリップの付け根部を通過可能に変形することを特徴とするホルダ。
【請求項２】
前記棒状部の先端に突起が設けられており、前記突起が棒状部から塗布具本体に近づく方向に突出している前記クリップに取り付け可能なホルダであって、
係合部が突起と係合可能な姿勢保持部を有しており、姿勢保持部が切り欠き又は貫通孔であることを特徴とする請求項１に記載のホルダ。
【請求項３】
ホルダ本体がホルダ本体から突出する突出部を有し、突出部に前記導入路を備え、突出部の突出方向端部は外側に向かって広がっており、また、前記導入路と連続しており、ホルダ本体は弾性材料により構成される筒状の部材であり、前記姿勢保持部がホルダ本体に設けられていることを特徴とする請求項２に記載のホルダ。
【請求項４】
前記導入部がスリットまたは切れ目であることを特徴とする請求項１乃至３のいずれかに記載のホルダ。
【発明の詳細な説明】
【技術分野】
【０００１】
本発明は、景品や付録等を商品に取り付ける際の封入及び取り付けに関するものであり、より詳細には、景品や付録等を塗布具に取り付ける、パッケージ一体型のホルダに関するものである。
なお、本明細書における塗布具とは、シャープペンシル、ボールペン、万年筆等の筆記具に加え、のり、修正ペン等、液状のものを何らかのものに塗り付ける用具の総称として使用している。
【背景技術】
【０００２】
いわゆる「おまけ」と称される付録的商品がある。例えばキャラメルやチョコレートを販売する場合、これにミニチュアの自動車や人形、カードが「おまけ」として付随する場合がある。「おまけ」は、直接販売する商品ではないが、本来の商品をしのぐ人気を博することも多く、商品の販売促進のために利用される。
「おまけ」は商品の購入者に漏れなく配布することができる様に、本来の商品に固定される場合が多い。また「おまけ」は、ただ商品に固定さえすれば良いというものではなく、見栄え良く商品に固定されることが大切である。
例えば本来の商品がキャラメルである場合は、キャラメルの箱とは別の小箱を設け、当該小箱に「おまけ」を収納し、キャラメルの箱に小箱を積み重ねて一体に包装することによって商品と「おまけ」とを一体化する方策が実施されている。
【０００３】
また、商品に「おまけ」を付ける容器として、特許文献１に開示されている発明がある。特許文献１に開示された発明は、ペットボトルにおまけを取り付ける用途に活用するものである。
【先行技術文献】
【特許文献】
【０００４】
【特許文献１】特開２００１−１９９４４４号公報
【０００５】
ところで本発明者らはボールペン、シャープペンシル、ラインマーカ、フェルトペン等の筆記具を販売するのに際し、販売促進のために「おまけ」を付けることを企画した。しかしながら、従来知られていた方策では、筆記具に見栄えよく、且つ簡単に「おまけ」を取り付けることができなかった。
【発明の概要】
【発明が解決しようとする課題】
【０００６】
そこで本発明は、従来技術の上記した問題点に注目し、筆記具等に対して見栄え良く、且つ簡単に「おまけ」を取り付けることができる器具を提供することを課題とするものである。
なお、「おまけ」を取り付ける筆記具の種類は問われるものでなく、同様の形状であれば塗布具等でもよい。
【課題を解決するための手段】
【０００７】
上記課題を解決するための請求項１の発明は、小物を収容するパッケージと、前記パッケージと一体のホルダ本体とから成り、塗布具に取り付けられるホルダであって、塗布具は、塗布具本体及び塗布具本体と一体のクリップを有し、前記クリップは、塗布具本体の長手方向に沿う棒状部と、棒状部の端部を塗布具本体に接続する付け根部とを備えるものであり、前記ホルダ本体は係合部を有しており、前記ホルダ本体の係合部は、クリップを係合させる導入路を備えており、前記導入路は、クリップの付け根部よりも幅が狭い導入部と、クリップの付け根部よりも幅の広い拡幅部とを備えており、前記導入部は、クリップの付け根部を通過可能に変形することを特徴とするホルダである。
【０００８】
本発明のホルダでは、クリップの付け根部よりも幅が狭い導入部と、クリップの付け根部よりも幅の広い拡幅部とを備えており、前記導入部は、クリップの付け根部を通過可能に変形する。
そのため、クリップにホルダを取り付ける際には、クリップから加わる力等によって、導入部及び導入部近傍が、弾性力によって自動的に、あるいは塑性力によって人為的に変形して、クリップを挿通可能な形状になり、クリップは拡幅部に向かって導入部を移動することができる。そして、クリップは導入部と摺動した後、クリップの付け根部よりも幅の広い拡幅部に嵌り込む。そのことにより、ホルダがクリップに取り付けられる。つまり、クリップを導入路に押し込む（ホルダの導入路をクリップに押し当てる）だけで、クリップにホルダが取り付けられるため、ホルダの取り付けが容易である。
また、クリップが導入部を通過した後に、導入部及び導入部近傍の形状が元の形状に戻すことにより、クリップを拡幅部側から導入部側に戻しても、導入部に入り込まない。したがって、クリップは拡幅部に嵌っている状態から外れにくくなっている。即ち、本発明のホルダはクリップに強固に取り付けることができる。
【０００９】
本発明のホルダでは、ホルダ本体にパッケージが一体に取り付けられている。そのため、パッケージに小物を封入して塗布具と一体化することができる。
【００１０】
請求項２の発明は、前記棒状部の先端に突起が設けられており、前記突起が棒状部から塗布具本体に近づく方向に突出している前記クリップに取り付け可能なホルダであって、係合部が突起と係合可能な姿勢保持部を有しており、姿勢保持部が切り欠き又は貫通孔であることを特徴とする請求項１に記載のホルダである。
【００１１】
本発明のホルダでは、クリップに取り付ける際に、突起と係合する部分である姿勢保持部を設けることにより、ホルダ及びパッケージの取り付け時の姿勢を、より強固に保持することができる。
【００１２】
請求項３の発明は、ホルダ本体が突出する突出部を有し、突出部に前記導入路を備え、突出部の突出方向端部は外側に向かって広がっており、また、前記導入路と連続しており、ホルダ本体は弾性材料により構成される筒状の部材であり、前記姿勢保持部がホルダ本体に設けられていることを特徴とする請求項２に記載のホルダである。
【００１３】
本発明のホルダでは、突出方向端部は導入路と連続し、外側に向かって広がっているので、クリップをホルダに押し当てた際に、ホルダがクリップに引っ掛かりにくく、クリップを導入路に入れ込み易い。そのためクリップへのホルダの取り付けが容易になる。
また、突出している場所に導入路を備えることにより、取り外しの際に人の手等の外部の力によって導入部近傍を変形し易い。そのため、クリップを挿通可能な状態に、導入部を変形することが容易であり、ホルダの取り外しが容易である。同様にクリップを取り付ける際にも、導入部近傍が変形しやすいので、導入部にクリップを挿入し易い。
加えて、ホルダ本体は弾性材料により構成され、中空孔を有する筒状の部材である。そのため、係合部をパッケージと逆側の側面に設けることで、クリップがパッケージ及びパッケージ内の小物に接触しない。そのため、クリップがパッケージ及びパッケージ内の小物に接触することによる破損を防ぐことができる。
【００１４】
請求項４の発明は、前記導入部がスリットまたは切れ目であることを特徴とする請求項１乃至３のいずれかに記載のホルダである。
【００１５】
本発明のホルダでは、導入路がスリットであるため加工が容易であり、ホルダに導入路を設けることが容易である。
【発明の効果】
【００１６】
本発明は、塗布具のクリップに景品や付録を簡単に取り付けることができ、外れにくく、耐久性の高いホルダを提供することができる。
【図面の簡単な説明】
【００１７】
【図１】本発明の第１の実施形態におけるホルダの斜視図である。
【図２】図１のホルダの左側面図である。
【図３】図１のホルダの平面図である。
【図４】本発明の第１の実施形態におけるホルダを塗布具に取り付ける様子を示す説明図であり、（ａ）〜（ｄ）の順にホルダが移動していく様子を示している。
【図５】第１の実施形態におけるホルダの外側に塗布具を取り付けた状態を示す側面図である。
【図６】第１の実施形態におけるホルダの内側に塗布具を取り付けた状態を示す正面図である。
【図７】第１の実施形態におけるホルダの内側に塗布具を取り付けた状態を示す斜視図である。
【図８】本発明の第２の実施形態におけるホルダを示す斜視図である。
【図９】本発明の第３の実施形態におけるホルダを示す斜視図である。
【図１０】本発明の第４の実施形態におけるホルダを示す斜視図である。
【図１１】本発明の第５の実施形態におけるホルダを示す斜視図である。
【図１２】本発明の第６の実施形態におけるホルダを示す斜視図である。
【図１３】本発明の第７の実施形態におけるホルダを示す斜視図である。
【発明を実施するための形態】
【００１８】
図１，２，３に示すように、本発明の第１の実施形態のホルダ１は、ホルダ本体２とパッケージ３から構成されている。パッケージ３はホルダ本体２に一体に取り付けられている袋状の部材であり、内部に小物５１が封入されている（図２）。この状態で、塗布具４のクリップ５に係合部８を係合させることにより、塗布具４にホルダ１を取り付ける（図４）。以下詳細に説明する。
【００１９】
ホルダ本体２は、プラスチック等の弾性材料を有するシートで形成されている部材であって、中空孔２ａを有する略筒状になっており、図１，３に示されるように、後述する突出部１４を除く部分の断面の形状が略扇型になっている。具体的に説明すると、約１２０度に開いた線辺部のその端部同士が円弧で結ばれた形状をしている。
【００２０】
突出部１４は、ホルダ本体２は図１における上側に設けられている。突出部１４は中心線Ｄ（図１）からほぼ左右対称な形状の突出部片２０，２１から形成されている。具体的に説明すると、突出部片２０，２１は、それぞれの突出方向端部が丸みを帯びており、角の部分を丸く削り取った様な形状である。そのため、突出部片２０，２１の間は、外側に向かうにつれて広がっている。
より詳細には、それぞれの突出部片２０，２１で、先端部分は半円状となっており、半円状の部分２０ａ（２１ａ）に連続して第１の長方形状の部分２０ｂ（２１ｂ）がある。さらに第１の長方形状の部分２０ｂ（２１ｂ）と連続して第２の長方形状の部分２０ｃ（２１ｃ）がある。即ち、突出部片２０，２１は先端部分から基端部分に向かって半円状の部分２０ａ，２１ａ、第１の長方形状の部分２０ｂ，２１ｂ、第２の長方形状の部分２０ｃ，２１ｃとなっている。なお、第２の長方形状の部分２０ｃ，２１ｃは第１の長方形状の部分２０ｂ，２１ｂと比べて幅（中心線Ｄと垂直な方向の長さ）が小さく、長さ（中心線Ｄと平行な方向）が長くなっている。
【００２１】
また突出部１４には係合部８の導入路９が設けられており、導入路９は導入部１０と拡幅部１１から形成されている。
【００２２】
導入部１０は、中心線Ｄに沿って突出部１４の突出方向先端側から突出方向の基端側に向かって延びている切れ目部分であり、前述の２つの第１の長方形状の部分（第１の長方形状の部分２０ｂと第１の長方形状の部分２１ｂ）の間に位置する。なお、２つの第１の長方形状の部分（第１の長方形状の部分２０ｂと第１の長方形状の部分２１ｂ）は密着若しくは僅かに離れているため、導入部１０は切れ目の境界若しくは隙間となる。また、この導入部１０は突出部１４の先端部分の丸みを帯びた部分から滑らかに連続している。
【００２３】
拡幅部１１は、突出部１４の基端側に設けられており、図１における手前側から奥側に向かって突出部１４を貫通している、即ち、突出部１４を厚さ方向に貫通する貫通孔の部分である。この貫通孔は開口形状が長方形である。また、この貫通孔は図１における上側の面を第１の長方形状２０ｂ，２１ｂの部分、図１における左右の面を前述の第２の長方形状の部分２０ｃ，２１ｃ、下側の面をホルダ本体２の筒状の部分の端部によって形成されている。ここで、上側の面は前記導入部１０に対して、略直角になっており、導入部１０との間に段差３０が設けられている。換言すると、前記導入部１０と拡副部１１は段差３０を有して連続している。
加えて、拡幅部１１は後述のクリップ５の付け根部７を嵌め込むことが可能な大きさである。つまり、クリップ５の付け根部７と同等以上の大きさとなっている。
【００２４】
ホルダ本体２の図１における下側には、係合部８の姿勢保持部１３が設けられている。姿勢保持部１３は正面の板状の部分の下端部を切り欠いた形状であり、切り欠きの形状は略長方形状となっている。
【００２５】
パッケージ３は、内部に小物を封入可能な袋状の部材であり、接着材や両面テーブ等の周知の固着手段（図示せず）によって、ホルダ本体２の前述の線辺部側の側面に、一体に取り付けられている。即ち、ホルダ本体２の係合部８と対向する位置であって、ホルダ本体２の外側の面に一体に取り付けられている。
【００２６】
次に、本発明のホルダ１を取り付ける塗布具について説明する。
さらに、塗布具４にはクリップ５が設けられており（図４）、クリップ５は棒状部６と付け根部７を備えている。付け根部７は塗布具４の本体部分に接続されており、塗布具４の本体部分の中心軸に垂直な方向であり、塗布具本体から離れる方向へ突出している。また、付け根部７は棒状部６と連続しており、棒状部６は付け根部７から塗布具４の長手方向に沿う様に塗布具４の本体部分の中心軸と平行に延びている。したがって、クリップ５は側面（図４における正面）から見た形状が略「Ｌ」字状である。
そして棒状部６の先端部分には、棒状部６から塗布具４の本体部分に向かう方向に突出する突起１２が設けられている。
【００２７】
次に、ホルダ１の塗布具４への取り付けについて説明する。
【００２８】
図４（ａ）に示すように、ホルダ本体２の上側（突出部１４が設けられている側）に
棒状部６の突起１２が設けられている先端側を近づけていく。なお、この状態において、導入部１０は閉じており、付け根部７を挿通不可能な形状となっている。
【００２９】
そして、図４（ｂ）に示すように、棒状部６と塗布具４の本体部分の間に形成される隙間に、突出部１４を含むホルダ本体２を挿通する。即ち、ホルダ本体２の中空孔２ａにクリップ５の棒状部６を挿し込む。そして、突出部１４の先端部分と付け根部７を当接させる。
【００３０】
図４（ｂ）の状態から、塗布具４に対して、図４における下方向に力を加えるか、ホルダ本体２に対して図４における上方向に力を加えることにより、図４（ｃ）に示される様にクリップ５の付け根部７が導入路９の導入部１０に挿入される。ここで、突出部１４の先端部分は角の無い丸みを帯びた形状をしているので、付け根部７はその形状に係らず、突出部１４の先端に引っ掛かることがない。そのため、付け根部７が突出部１４に入り込みやすく、付け根部７は突出部１４の側面を滑るように導入部１０に入っていく。
【００３１】
すると、導入部１０及びその近傍は、捲れるように弾性変形する。即ち、導入部１０を付け根部７が押圧することにより、導入部１０の近傍が反り返る。そのことにより、導入部１０の幅が付け根部７を挿通可能に広がる。そして、付け根部７は導入部１０を押し開きながら拡幅部１１へ向かって進む。換言すると、導入部１０は付け根部７に掻き分けられることで幅が広がり、幅が広がった導入路１０を付け根部７が進んでいく。
【００３２】
そして、図４（ｄ），図５で示される様に、付け根部７が拡幅部１１に係合し、突起１２が姿勢保持部１３と係合する。このとき、導入部１０は、図４（ａ），（ｂ）で示されるように、付け根部７が挿通不可能な形状に戻っている。ここで、拡幅部１１の上端部分は導入部１０と段差３０を有して連続している。換言すると、拡幅部１１の上端部分と導入部１０は約９０度の角度で繋がっている（図１）。そのことにより、前記した突出部１４の先端部分と異なり、付け根部７が導入部１０へ入り込みにくい。具体的に説明すると、付け根部７が拡幅部１１の導入部１０と連続している部分の付近にぶつかっても、付け根部７が拡幅部１１の上側部分に引っ掛かって、付け根部７が導入部１０に入り込まない。そのため、付け根部７は拡幅部１１と係合した状態を保持しやすい。
また、拡幅部１１と姿勢保持部１３の２箇所で係合させて、ホルダ本体２を塗布具４に取り付けることにより、ホルダ本体２に左右（ホルダ本体２を塗布具４に取り付けた際塗布具４の長手方向に垂直な方向）から力が加わってもホルダ本体２の姿勢が乱れにくい。そのため、ホルダ本体２は、塗布具４を取り付けた状態での姿勢が安定する。
これらのことから、クリップ５はホルダ本体２から外れにくい状態で取り付けられる。
【００３３】
なお、上記した取り付けでは、クリップ５がホルダ本体２の中空孔２ａを挿通するように取り付けている。即ち、塗布具４の本体部分がホルダ本体２の外側に配され、クリップ５がホルダ本体２の内側に配される様に取り付けているが、塗布具４の取り付け方法はこれに限るものではない。例えば、図６，７で示されるように、中空孔２ａに塗布具４の本体部分が挿通され、クリップ５がホルダ本体２の外側に配されるように取り付けてもよい。即ち、クリップ５のいずれかの一部分がホルダ本体２の導入路１０を通過して、拡幅部１１と係合することで、ホルダ１が塗布具４に取り付けられればよい。
【００３４】
なお、以下では第２の実施形態から第７の実施形態を説明するが、特に説明がない限り、第１の実施形態におけるホルダ１と同様の構造については、同様の符号を付して重複する説明を省略する。
【００３５】
本発明の第２の実施形態におけるホルダ本体６１は、第１の実施形態のホルダ本体２に、突出部１４を設けず、筒状の部分に係合部８を設け、筒状の部分の断面の形状を四角形にする変更を示すものである。
このホルダ本体６１は、図８に示される様に、角パイプのような形状であり、詳細には、断面が略四角形になるようにシート状の部材を折り曲げたものである。このホルダ本体６１は、第１の実施形態のように突出部１４が設けられておらず、係合部８を構成する導入路９、姿勢保持部１３が、ホルダ本体６１の外側の側面部分に設けられている。また、導入路９の導入部１０と連続している筒状の部分の端部近傍が、丸みを帯びており、外側に向かうにつれて広がっている。そして、筒状の部分の端部と導入部１０は滑らかに連続している。
また、ホルダ本体６１に設けられた姿勢保持部１３は、ホルダ本体６１の端部側から中心側に向かう切り欠きであり、切り欠きの形状は、四角柱の隣り合う側面にそれぞれ四角形の切り欠きを設けて繋いだような形状であり、換言すると、四角柱の角部分を切り取ったような形状である。
【００３６】
本発明の第３の実施形態におけるホルダ本体６２は、第１の実施形態のホルダ本体２の突出部１４の形状を変更し、導入部１０の距離を短くし、筒状の部分の断面の形状を円形にし、姿勢保持部１３の形状を「Ｕ」字状にする変更を示すものである。
このホルダ本体６２は、図９に示される様に、筒状の部分と筒状の部分から突出する突出部１４からなる。筒状の部分はパイプのような形状であり、詳細には、断面が円形である筒状になるようにシート状の部材を湾曲させている。突出部１４は板状の部材であり、前述の筒状の部材の側面に沿うように丸みを帯びている。さらに突出部１４は中心部分からほぼ左右対称に向かい合う２つの部材からなり、２つの部材はそれぞれ、正面（図９における手前側）から見た形状が長方形状の部材の突出方向先端に略三角形状の部材を取り付けた様な形状である。換言すると、それぞれが矢印のような形状をしている。なお、略三角形状の部分は対向している頂点部分近傍が切り欠かれた状態で接触している。
【００３７】
この突出部１４には導入路９が設けられており、導入路９は導入部１０と拡幅部１１からなる。導入部１０は、前述の略三角形状の部分の対向している頂点部分によって形成される。
拡幅部１１は、前述の三角形状の部材の一部と、長方形状の部材の長手方向側面と、筒状の部分の端部によって囲まれている部分であり、図９における手前から奥側に貫通する貫通孔のような形状である。
また、ホルダ本体６２に設けられた姿勢保持部１３は、ホルダ本体６２の端部を切り欠いており、切り欠きの形状は「Ｕ」字状である。
そして、パッケージ３は円筒状の部分の側面に、接着材や両面テーブ等の周知の固着手段（図示せず）によって一体に取り付けられている。
【００３８】
本発明の第４の実施形態におけるホルダ本体６３は、第１の実施形態のホルダ本体２に突出部の形状を変更し、姿勢保持部１３を切り欠きから貫通孔に変更し、筒状の部分の断面の形状を四角形にする変更を示すものである。
このホルダ本体６３は、図１０に示される様に、角パイプのような形状の部材と突出部１４から形成されている。詳細に説明すると、角パイプのような形状の部材は、断面が略四角形になるようにシート状の部材を折り曲げたものであり、突出部１４は筒状の部材から、筒状の部材の長手方向と平行な方向に突出している。
突出部１４は板状の部材であり、中心部分からほぼ左右対称に向かい合う２つの突出部片２０，２１からなる。２つの部材は、それぞれ長方形状の部材の突出方向先端に略台形状の部材を取り付けた様な形状である。詳細に説明すると、筒状の部材を形成する４つの長方形状の面の内、隣り合う２つの面において、それぞれ長方形の板状の部材が、筒状の部材の外側に向かって突出している。そして、長方形の板状の部材の突出方向先端部分から、突出方向に垂直な方向に略台形状の部材がそれぞれ突出している。このとき、略台形状の部材は長方形状の部材と一体の板状になっており、突出方向の先端部分で接触している。
【００３９】
この突出部１４には導入路９が設けられており、導入路９は導入部１０と拡幅部１１からなる。導入部１０は、前述の略台形状の部分の接触部分によって形成されるスリット状の部分である。
拡幅部１１は、前述の台形状の部材の一部と、長方形状の部材の長手方向側面と、筒状の部分の端部によって囲まれている部分であり、図１０における手前から奥側に貫通する貫通孔のような形状である。
また、ホルダ本体６３には姿勢保持部１３が設けられている。この姿勢保持部１３は、突出部１４が設けられている端部の長手方向反対側の端部近傍に設けられており、図１０における手前から奥側に貫通する貫通孔である。なお、この貫通孔の形状は正面からみて四角形となっている。
【００４０】
本発明の第５の実施形態におけるホルダ本体６４は、第１の実施形態のホルダ本体２の本体部分の折り曲げ方を変更し、中空孔２ａを中空孔６４ａに変更し、突出部を排除した変形例を示すものである。なお、本体部分の折り曲げ方の例として２つ折りにした形状を示しているが、本体部分の折り曲げ方はこれに限るものではない。例えば「コ」の字型であってもよい。要は塗布具４と係合できるように折り曲げればよい。
このホルダ本体６４は、図１１に示される様に、板状部材を長手方向に垂直な線に沿って折り曲げた様な形状である。詳細に説明すると、ホルダ本体６４の中心部分にホルダ本体６４を厚さ方向に貫通する貫通孔であり、開口の形状がひし形である中空孔６４ａが設けられている。そして、このホルダ本体６４には中空孔６４ａと短手方向の位置が同じであり、長手方向で端部寄りの位置に拡幅部１１が設けられている。ここで、拡幅部１１は開口が四角形の貫通孔であり、中空孔６４ａとスリットである導入部１０を介して連続している。
さらに、ホルダ本体６４の長手方向端部には、拡幅部１１と短手方向の位置が同じ位置に姿勢保持部１３が設けられている。この姿勢保持部１３は、ホルダ本体６４の長手方向の端部を、端部側から中心側に向かって延びる四角形状の切り欠きである。
そして、ホルダ本体６４は、中空孔６４ａの開口を長手方向に略２分割するように折り曲げられている。折り曲げられたホルダ本体６４は、２つの長方形の板状部材が短い辺同士で接続されているような形状である。したがって、２つの長方形の板状部材は、接続されている短い辺を軸に互いに回動可能な状態である。
折り曲げられたホルダ本体６４の内、図１１において奥側の板状の部分（導入部１０や拡幅部１１が設けられていない板状の部分）には、パッケージ３が周知の固着手段（図示せず）によって一体に取り付けられている。
【００４１】
本発明の第６の実施形態におけるホルダ本体６５は、第５の実施形態のホルダ本体の折り曲げ方と係合部８の位置およびパッケージ３の取り付け位置を変更したものである。なお、第５の実施形態と同様に本体部分の折り曲げ方はこれに限るものではない。
ホルダ本体６５は、図１２に示される様に、板状部材を折り曲げた様な形状である。詳細に説明すると、ホルダ本体６５は長方形の板状の部材を長手方向に略２分割するように折り曲げており、折り曲げられた板状の部材は、２つの長方形の板状部材が長い辺同士で接続されているような形状である。したがって、２つの長方形の板状部材は、接続されている長い辺を軸に互いに回動可能な状態である。
そして、折り曲げられた片側に、係合部８を設けており、もう一方の片側にパッケージ３を周知の固着手段（図示せず）によって一体に取り付けている。係合部８は、導入部１０と拡幅部１１から形成されており、導入部１０は端部から拡幅部１１へ連続しているスリットであり、拡幅部１１はホルダ本体６５を厚さ方向に貫通する貫通孔である。
なお、この導入部１０の端部側（拡幅部１１の反対側）には切り欠きが設けられており、正面視が三角形である。
さらに、ホルダ本体６５の内、係合部８が設けられている側の長方形状の板状の部分の長手方向端部には、拡幅部１１と短手方向の位置が同じ位置に姿勢保持部１３が設けられている。
この姿勢保持部１３は、ホルダ本体６５の長手方向の端部を、端部側から中心側に向かって延びる四角形状の切り欠きである。
【００４２】
本発明の第７の実施形態におけるホルダ本体６６は、第１の実施形態のホルダ本体２の形状を板状に変更し、突出部を排除した例を示すものである。
このホルダ本体６６は、図１３に示される様に、板状部材の端部寄りの位置に拡幅部１１を設けている。この拡幅部１１はホルダ本体６６を厚さ方向に貫通する貫通孔であり、開口の形状は四角形である。そして、拡幅部１１は、ホルダ本体６６と長手方向の端部の間には導入部１０が設けられている。なお、この導入部１０はホルダ本体６６に設けられた切れ目である。
またホルダ本体６６には、姿勢保持部１３が設けられており、姿勢保持部１３はホルダ本体６６を端部側から中心側に向かう切り欠きであり、四角形の形状をしている。
そして、パッケージ３はホルダ本体６６に、接着材や両面テープ等の周知の固着手段（図示せず）によって一体に取り付けられている。なお、このとき取り付ける箇所は、係合部８に塗布具を取り付ける際に、係合部８及びその近傍の動きを阻害しない位置となっている。
【００４３】
上記した各実施形態において、姿勢保持部１３の形状を、略長方形状、四角柱の角部分を切り取ったような形状、「Ｕ」字状、開口が四角形の貫通孔等の例を示したが、姿勢保持部１３の形状はこれに限るものではない。例えば、開口が円形の貫通孔や丸孔でもよいし、三角形や台形の切り欠きでもよい。要は、棒状部６の突起１２と係合できればよい。  同様に拡幅部１１についてもその形状を問わない。例えば、貫通孔の開口が半円や円形の様な曲線を伴うもの、五角形や六角形の様な多角形でもよい。
【００４４】
上記した各実施形態において、各ホルダ本体はプラスチック等の弾性材料で形成されているものとしたが、各ホルダ本体を形成する材料はこれに限るものではない。例えば、塑性変形する厚紙の様なもので形成してもよい。
つまり、ホルダを塗布具４に取り付ける際に、クリップ５の付け根部７が導入部１０を通過するとき、導入部１０及びその近傍がクリップ５の付け根部７と摺動可能な形状に変形し、加えて、付け根部７が拡幅部１１に挿通された際に、導入部１０の隙間が付け根部７の幅より小さくなればよい。
【符号の説明】
【００４５】
１  ホルダ
２  ホルダ本体
３  パッケージ
４  塗布具
５  クリップ
６  棒状部
７  付け根部
８  係合部
９  導入路
１０  導入部
１１  拡幅部
１２  突起
１３  姿勢保持部
１４  突出部
５１  小物
【図１】
2011020314.tif 000003
【図２】
2011020314.tif 000004
【図３】
2011020314.tif 000005
【図４】
2011020314.tif 000006
【図５】
2011020314.tif 000007
【図６】
2011020314.tif 000008
【図７】
2011020314.tif 000009
【図８】
2011020314.tif 000010
【図９】
2011020314.tif 000011
【図１０】
2011020314.tif 000012
【図１１】
2011020314.tif 000013
【図１２】
2011020314.tif 000014
【図１３】
2011020314.tif 000015